(57)【要約】  再閉止可能電池パッケージは、第１の着脱可能部を有する第１のパネルと、第２の着脱可能部を任意選択により有する第２のパネルとを含む。ポーチは第１のパネルと第２のパネルとの間に配置される。第１のパネルおよび第２のパネルは周縁に沿って結合され、ポーチ周縁フランジは第１のパネルと第２のパネルとの間に配置される。第１の着脱可能部が第１のパネルから取り外されるとき、ポーチを第１のパネルと第２のパネルとの間でスライド可能に移動させることができ、ポーチ内に格納されている内容物が露出する。
2019521484.tif 000002
【特許請求の範囲】
【請求項１】
第１の主部、第１の着脱可能部および中央開放部を有する第１の本体を含む第１のパネルと、
第２の主部を有する第２の本体を含む第２のパネルと、
周縁フランジおよび中央収容部を有するポーチであって、前記中央収容部は前記周縁フランジから離れるように外方に突出する、ポーチと
を備えており、
前記第１の本体および前記第２の本体は前記第１の本体および前記第２の本体の周縁に沿って結合され、前記ポーチ周縁フランジは前記第１の本体と前記第２の本体との間に配置され、前記中央収容部は前記第１の本体の前記中央開放部を通って広がり、
前記第１の着脱可能部が前記第１の本体から取り外されて前記中央開放部の第１の縁が露出するとき、前記ポーチは前記第１の主部と前記第２の主部との間でスライド可能に移動させることができ、この結果、前記ポーチを前記第１の主部および前記第２の主部に対してスライド可能に移動させるとき、前記中央収容部の内側部分が露出する、再閉止可能電池パッケージ。
【請求項２】
前記第２の本体は第２の着脱可能部を含み、前記第２の着脱可能部が前記第２の本体から取り外されるとき、前記ポーチは前記第１の主部と前記第２の主部との間でスライド可能に取り外すことができる、請求項１に記載の再閉止可能電池パッケージ。
【請求項３】
前記第１の着脱可能部は第１の複数の目打ち孔によって前記第１の主部に着脱可能に取り付けられ、前記第２の着脱可能部は第２の複数の目打ち孔によって前記第２の主部に着脱可能に取り付けられ、前記第１の複数の目打ち孔は前記第２の複数の目打ち孔と列をなさない、請求項２に記載の再閉止可能電池パッケージ。
【請求項４】
前記第１の複数の目打ち孔は前記中央開放部の第１の角から前記第１の本体の前記周縁に向かって延び、前記中央開放部の第２の角から前記第１の本体の前記周縁に向かって延びる、請求項３に記載の再閉止可能電池パッケージ。
【請求項５】
前記第１の複数の目打ち孔は目打ち孔の第１の側線セットと目打ち孔の第２の側線セットとを含み、目打ち孔の前記第１の側線セットは前記中央開放部の前記第１の角から前記第１の本体の前記周縁に向かって第１の方向に延び、目打ち孔の前記第２の側線セットは前記中央開放部の前記第２の角から前記第１の本体の前記周縁に向かって第２の方向に延びる、請求項４に記載の再閉止可能電池パッケージ。
【請求項６】
目打ち孔の前記第１の側線セットと目打ち孔の前記第２の側線セットとのうちの少なくとも一方は直線状ではない、請求項５に記載の再閉止可能電池パッケージ。
【請求項７】
目打ち孔の前記第１の側線セットは第１のつなぎ部の分だけ前記中央部の前記第１の角から離れ、目打ち孔の前記第２の側線セットは第２のつなぎ部の分だけ前記第２の部分の前記第２の角から離れている、請求項５に記載の再閉止可能電池パッケージ。
【請求項８】
前記第１のつなぎ部は、前記第１の角と、目打ち孔の前記第１の側線セット中の最も近い目打ち孔との間のつなぎ長さを有し、前記つなぎ長さは０．１５インチ〜０．４インチである、請求項７に記載の再閉止可能電池パッケージ。
【請求項９】
前記第２の複数の目打ち孔は前記第２の本体を横断して延び、前記第２の複数の目打ち孔は前記中央開放部の前記第１の縁に平行に向けられる、請求項３に記載の再閉止可能電池パッケージ。
【請求項１０】
前記第２の複数の目打ち孔は、ずれタブ部を画定する目打ち孔のずれセットも含み、前記タブ部は前記中央開放部の前記第１の縁に平行であるが、前記第２の複数の目打ち孔中の目打ち孔の残りからずれている、請求項９に記載の再閉止可能電池パッケージ。
【請求項１１】
前記タブ部は前記第２の複数の目打ち孔中の目打ち孔の前記残りからタブ距離だけずれ、前記タブ距離は約０．５インチである、請求項１０に記載の再閉止可能電池パッケージ。
【請求項１２】
前記第２の本体は前記タブ部からずれている折り目を含み、前記折り目は、前記タブ部の部分ではない前記第２の複数の目打ち孔中の前記目打ち孔と同一直線上にある、請求項１０に記載の再閉止可能電池パッケージ。
【請求項１３】
前記中央開放部はカーブした底部縁を含む、請求項１に記載の再閉止可能電池パッケージ。
【請求項１４】
前記底部縁は、深さ約０．２５インチである円弧状にカーブしている、請求項１３に記載の再閉止可能電池パッケージ。
【請求項１５】
前記第１の本体および前記第２の本体はボール紙を含み、前記ポーチは熱可塑性材料を含む、請求項１に記載の再閉止可能電池パッケージ。
【請求項１６】
前記第１の本体の前記ボール紙は、前記第１の複数の目打ち孔中の前記目打ち孔の少なくともいくつかにほぼ垂直に向けられる繊維を含み、前記第２の本体は、前記第２の複数の目打ち孔中の前記目打ち孔の少なくともいくつかにほぼ垂直に向けられる繊維を含む、請求項１５に記載の再閉止可能電池パッケージ。
【請求項１７】
前記ポーチの前記中央収容部に配置される少なくとも１つの電池をさらに備える請求項１に記載の再閉止可能電池パッケージ。
【請求項１８】
前記第１の本体および前記第２の本体のうちの少なくとも一方は係止溝を含み、前記ポーチは前記周縁フランジに配置されている係止タブを含み、前記係止タブは前記係止溝内でスライド可能であり、前記係止溝は前記第１の本体および前記第２の本体のうちの少なくとも一方に対して前記ポーチのスライド可能距離を制限する、請求項１に記載の再閉止可能電池パッケージ。
【請求項１９】
再閉止可能パッケージを開ける方法であって、
２セットの対向側縁を有する第１の本体、および中央開放部を含む第１のパネルと、２セットの対向側縁を有する第２の本体を含む第２のパネルと、前記第１の本体と前記第２の本体との間にスライド可能に配置されるポーチとを有する再閉止可能パッケージを用意するステップと、
前記第１の本体および前記第２の本体の部分を前記第２の本体に向かって後方に、前記第１の本体および前記第２の本体の無為状態の面に対して約１８０度、折り曲げるステップと、
前記第１の本体および前記第２の本体に形成されている目打ち孔に沿って前記第１の本体および前記第２の本体を裂くステップと、
前記第１の本体および前記第２の本体に対して前記ポーチを第１の方向にスライドさせて、前記ポーチの内部に格納されている製品を露出させるステップと
を備える方法。
【請求項２０】
前記ポーチを前記第１の位置とは反対の第２の方向にスライドさせて、前記ポーチの前記内部をふさぎ、これにより、前記再閉止可能パッケージを再閉止するステップをさらに備える請求項１９に記載の方法。
【発明の詳細な説明】
【技術分野】
【０００１】
本発明は概して消費者製品用のパッケージに関し、特に、電池用の再閉止可能パッケージに関する。
【背景技術】
【０００２】
電気化学セル、すなわち電池は、電気エネルギー源として一般的に用いられている。小型電池は特に消費者製品に電力を供給するのに有用である。小型電池のサイズは様々である。一般的な小型電池のサイズは、ＡＡＡ，ＡＡ，Ｃ，Ｄおよび９Ｖである。しかし、他のタイプの小型電池も、腕時計、カメラなどの他のタイプの製品に利用可能である。一般的な消費者製品には機能するのにきわめて大量のエネルギーが多くの場合に必要であるので、１つの製品を動作させるのに複数の電池が多くの場合に必要である。多くの場合、消費者は１つ以上の消費者製品を用いるので、電池必要量は増大する。この結果、頻繁に再来店する必要がないように、消費者は複数パックの電池（場合によっては１つのパッケージに４０以上もの電池を含む）を購入することがある。
【０００３】
電池パッケージは、紙または厚紙後部分に接着されるプラスチック表部分を含む場合がある。プラスチック表部分は、消費者がパッケージ内の電池の種類を見ることができるように、通常は透明であるが、プラスチック表部分は透明である必要はない。電池パッケージを開けるのに、はさみやナイフなどの器具が必要な場合がある。このような器具が直ちに利用できない場合、これにより、消費者は問題を抱える。さらに、一旦パッケージが開けられると（プラスチック表部分の接着部を切断したり、紙または厚紙後部分に穴を開けたりすることによって開ける）、不要な電池が開口から脱落する場合があるので、多くの場合、消費者は、後に必要となるまで、不要な電池をなんらかの袋に保管する。これにより、余計に乱雑になり、また、不要な電池が損傷をこうむることにもなり、さらに、１つ以上の電池が電気回路をなす物と接触すれば、意図しない放電、すなわち短絡が生じる。
【発明の概要】
【発明が解決しようとする課題】
【０００４】
紙または厚紙の後部分に目打ち孔を含めることで、パッケージを容易に開封するいくつかの電池パッケージが開発されているが、このようなパッケージは、搬送中、特に、パッケージが雑に取り扱われる場合に、意図せずに開き易い場合がある。さらに、この種のパッケージでは、一旦パッケージが開けられると、すべての電池がパッケージから出てくる可能性もある。したがって、消費者はやはり上述したように不要な電池を保管する必要がある。
【課題を解決するための手段】
【０００５】
一態様において、再閉止可能電池パッケージは第１のパネルを含み、第１のパネルは第１の本体、第１の主部、第１の着脱可能部および中央開放部を含む。再閉止可能電池パッケージは、第２の主部を有する第２のパネルも含む。再閉止可能電池パッケージはポーチをさらに含み、ポーチは周縁フランジおよび中央収容部を有し、中央収容部は周縁フランジから離れるように外方に突出する。第１の本体および第２の本体は第１の本体および第２の本体の周縁に沿って結合され、ポーチ周縁フランジは第１の本体と第２の本体との間に配置され、中央収容部は第１の本体の中央開放部を通って広がる。第１の着脱可能部が第１の本体から取り外されて中央開放部の第１の縁が露出するとき、ポーチは第１の主部と第２の主部との間でスライド可能に移動させることができ、この結果、ポーチを第１の主部および第２の主部に対してスライド可能に移動させるとき、中央収容部の内側部分が露出する。
【０００６】
再閉止可能電池パッケージは以下の好ましい形態の１つ以上を含んでもよい。
【０００７】
いくつかの形態では、第２の本体は第２の着脱可能部を含み、第２の着脱可能部が第２の本体から取り外されるとき、ポーチは第１の主部と第２の主部との間でスライド可能に取り外すことができる。
【０００８】
いくつかの形態では、第１の着脱可能部は第１の複数の目打ち孔によって第１の本体に着脱可能に取り付けられ、第２の着脱可能部は第２の複数の目打ち孔によって第２の本体に着脱可能に取り付けられ、第１の複数の目打ち孔は第２の複数の目打ち孔と列をなさない。
【０００９】
他の好ましい形態では、第１の複数の目打ち孔は中央開放部の第１の角から第１の本体の周縁に向かって延び、中央開放部の第２の角から第１の本体の周縁に向かって延びる。
【００１０】
さらに他の好ましい形態では、第１の複数の目打ち孔は目打ち孔の第１の側線セットと目打ち孔の第２の側線セットとを含み、目打ち孔の第１の側線セットは中央開放部の第１の角から第１の本体の周縁に向かって第１の方向に延び、目打ち孔の第２の側線セットは中央開放部の第２の角から第１の本体の周縁に向かって第２の方向に延びる。
【００１１】
さらに他の好ましい形態では、目打ち孔の第１の側線セットと目打ち孔の第２の側線セットとのうちの少なくとも一方は直線状ではない。
【００１２】
さらに他の好ましい形態では、目打ち孔の第１の側線セットは中央部の第１の角から離れ、これにより第１のつなぎ部が形成され、目打ち孔の第２の側線セットは第２の部分の第２の角から離れ、これにより第２のつなぎ部が形成される。
【００１３】
さらに他の好ましい形態では、第１のつなぎ部は、第１の角と、目打ち孔の第１の側線セット中の最も近い目打ち孔との間のつなぎ長さを持ち、つなぎ長さは０．１５インチ〜０．４インチである。
【００１４】
さらに他の好ましい形態では、第２の複数の目打ち孔は第２の本体を横断して延び、第２の複数の目打ち孔は中央開放部の第１の縁に平行に向けられる。
【００１５】
さらに他の好ましい形態では、第２の複数の目打ち孔は、ずれタブ部も含み、このタブ部は中央開放部の第１の縁に平行であるが、第２の複数の目打ち孔中の目打ち孔の残りからずれている。
【００１６】
さらに他の好ましい形態では、タブ部は第２の複数の目打ち孔中の目打ち孔の残りからタブ距離だけずれ、タブ距離は約０．５インチである。
【００１７】
さらに他の好ましい形態では、第２の本体はタブ部からずれている折り目を含み、折り目は、タブ部の部分ではない第２の複数の目打ち孔中の目打ち孔と同一直線上にある。
【００１８】
さらに他の好ましい形態では、中央開放部はカーブした底部縁を含む。
【００１９】
さらに他の好ましい形態では、底部縁は、深さ約０．２５インチである円弧状にカーブしている。
【００２０】
さらに他の好ましい形態では、第１の本体および第２の本体はボール紙から形成され、ポーチは熱成形プラスチックから形成される。
【００２１】
さらに他の好ましい形態では、第１の本体のボール紙は、第１の複数の目打ち孔中の目打ち孔の少なくともいくつかにほぼ垂直に向けられる繊維を含み、第２の本体のボール紙は、第２の複数の目打ち孔中の目打ち孔の少なくともいくつかにほぼ垂直に向けられる繊維を含む。
【００２２】
さらに他の好ましい形態では、少なくとも１つの電池がポーチの中央収容部に配置される。
【００２３】
さらに他の好ましい形態では、第１の本体は中央開口の一方の側に形成されている係止溝を含み、ポーチは周縁フランジに形成されている係止タブを含み、係止タブは係止溝内でスライド可能であり、係止溝は第１の本体に対してポーチのスライド可能距離を制限する。
【００２４】
さらに他の好ましい形態では、第２の本体は係止切り欠きを含み、ポーチは周縁フランジに形成されている係止タブを含み、係止タブは係止切り欠き内でスライド可能であり、係止切り欠きは第２の本体に対してポーチのスライド可能距離を制限する。
【００２５】
別の態様では、再閉止可能電池パッケージを開ける方法は、２セットの対向側縁を有する第１の本体、および中央開放部を含む第１のパネルと、２セットの対向側縁を有する第２の本体を含む第２のパネルと、第１の本体と第２の本体との間にスライド可能に配置されるポーチとを有する再閉止可能電池パッケージを用意するステップと、第１の本体および第２の本体の部分を第２の本体に向かって後方に、第１の本体および第２の本体の無為状態の面に対して約１８０度、折り曲げるステップと、第１の本体および第２の本体に形成されている目打ち孔に沿って第１の本体および第２の本体を裂くステップと、第１の本体および第２の本体に対してポーチを第１の方向にスライドさせて、ポーチの内部に格納されている製品を露出させるステップとを含む。
【００２６】
さらに他の好ましい形態では、ポーチを第１の位置とは反対の第２の方向にスライドさせて、ポーチの内部をふさぎ、これにより、ポーチの内部に格納されているいずれの製品も出入り可能であることがないようにしてもよい。
【００２７】
本明細書は、本発明を形成すると見なされる主題を特に指摘し明確に請求する請求項で結ばれるが、本発明は添付の図面とあわせて設けた以下の説明からよりよく理解される。
【図面の簡単な説明】
【００２８】
【図１】再閉止可能電池パッケージの第１の実施形態の正面平面図である。
【図２】図１の再閉止可能電池パッケージの背面平面図である。
【図３】上部を取り外した状態の図１の再閉止可能電池パッケージの正面平面図である。
【図４】上部を取り外した状態の図１の再閉止可能電池パッケージの背面平面図である。
【図５】上部を取り外した再閉止可能電池パッケージの第２の実施形態の正面平面図である。
【図６】図５の線６−６に沿って切断した図５の再閉止可能電池パッケージの断面図である。
【図７】図５の再閉止可能電池パッケージのポーチの正面平面図である。
【図８】ポーチを第１のパネルに対してスライドして出した状態の図５の再閉止可能電池パッケージの正面平面図である。
【図９】再閉止可能電池パッケージの第３の実施形態の背面平面図である。
【発明を実施するための形態】
【００２９】
電気化学セル、すなわち電池は１次でも２次でもよい。１次電池は、一度きり、たとえば電池切れまで放電した後、廃棄されることを意味する。１次電池は、たとえばダヴィッドリンデンの電池ハンドブック（マグロウヒル第４版（２０１１））で説明されている。  ２次電池は再充電されることを意図している。２次電池は放電して再充電することが多数回、たとえば、５０回を超える回数、１００回を超える回数または１０００回を超える回数できる。２次電池は、たとえばダヴィッドリンデンの電池ハンドブック（マグロウヒル第４版（２０１１））で説明されている。電池は水性電解質も非水性電解質も含んでもよい。したがって、電池は様々な電気化学的対と電解質の組み合わせとを含んでもよい。消費者向け電池は１次電池または２次電池のいずれでもよい。しかし、エネルギーが電池に蓄積されているため、また、電池端子が露出しているため、出荷および店舗陳列の際に消費者向け電池を保護しなければならない。さらに、消費者向け電池の包装は、包装内の電池の盗難を防止しつつ、購入の後に消費者が開封するのが比較的容易でなければならない。
【００３０】
以下、図１〜図４に注目して、再閉止可能電池パッケージ１０は第１のパネル１２と第２のパネル１４とを含む。第１のパネル１２は、２セットの対向側縁１８ａ，１８ｂを有する第１の本体１６と、中央開放部２０とを含む。また、第１の本体１２は、第１の主部２３から着脱可能な第１の着脱可能部２２を含む。第２のパネル１４は、２セットの対向側縁２４ａ，２４ｂと、第２の主部２５から着脱可能な第２の着脱可能部２６とを有する第２の本体２１を含む。ポーチ３０は周縁フランジ３２と中央収容部３４とを含み、中央収容部３４は周縁フランジ３２から離れるように外方に突出する。いくつかの実施形態では、第１のパネル１２および／または第２のパネル１４は、再閉止可能電池パッケージ１０をたとえば小売陳列ユニットのフックに掛けるための開口（図示せず）を含んでもよい。
【００３１】
第１の本体１６と第２の本体２１とは第１の本体１６の周縁４０および第２の本体２１の周縁４２に沿って互いに結合され、ポーチ周縁フランジ３２は第１の本体１６と第２の本体２１との間で捕らえられ、中央収容部３４は第１の本体１６の中央開放部２０を通って広がっている。第１の本体１６から第１の着脱可能部２２が取り外されて中央開放部２０の第１の縁４４が露出し、かつ第２の着脱可能部２６が第２の本体２１から取り外されるとき（図３および図４）、第１の本体１６と第２の本体２１との間に画定される溝に沿ってポーチ３０をスライド可能に移動させることができ、これにより、ポーチ３０の上部縁の少なくとも一部が完全に露出することで、ポーチ３０は消費者がつかむのが容易になる。第１の着脱可能部２２および第２の着脱可能部２６が第１の主部２３および第２の主部２５からそれぞれ取り外される場合であって、ポーチ３０を第１の本体１６および第２の本体２１に対してスライド可能に移動させるとき、中央収容部３４の内側部分４６が露出することで、消費者は、電池パッケージポーチ３０内に保持された／電池パッケージポーチ３０によって保持された、いずれの電池（または他の内容物）にでも手をのばすことができる。
【００３２】
いくつかの実施形態では、ポーチ３０を第１の主部２３および第２の主部２５に対してスライド可能にするのに、着脱可能部を１つしか設けずに取り外すだけで済む。たとえば、いくつかの実施形態では、第１の着脱可能部２２しか設けず、ポーチ３０を第１の主部２３および第２の主部２５に対してスライド可能に移動させることができるようにするのに第１の主部２３から取り外すだけで済む。このような実施形態では、第１の着脱可能部２２の高さおよび第２の本体２１の高さ、特に、第２の本体２１の上部周縁４２とポーチ周縁フランジ３２の上部３２ａとの間の距離（第２の本体２１の面が周縁フランジとほぼ接触するのでポーチに手をのばすことがほぼ妨げられる閉位置にポーチがあるとき）を小さくしてもよく、これにより、中央収容部３４とその中に配置される内容物とを露出させるのに、ポーチ３０を短距離だけスライドさせるだけで済む。
【００３３】
図示されているように、第１の着脱可能部２２は第１の複数の目打ち孔５０によって第１の本体１６に着脱可能に取り付けられ、第２の着脱可能部２６は第２の複数の目打ち孔５２によって第２の本体２１に着脱可能に取り付けられる。図示されている実施形態では、第１の複数の目打ち孔５０は第２の複数の目打ち孔５２と列をなさない。特に、図示されている実施形態では、第１の複数の目打ち孔５０は中央開放部２０の第１の角５４から第１の本体１６の周縁４０に向かって延び、中央開放部２０の第２の角５６から第１の本体１６の周縁４０に向かって延びる。
【００３４】
したがって、図示されているように、第１の複数の目打ち孔５０は目打ち孔の第１の側線セット５０ａと目打ち孔の第２の側線セット５０ｂとを含む。この場合の側線（ｌａｔｅｒａｌ）は、中央開放部２０の辺に対してずれており、必ずしも水平であったりまっすぐであったりする必要はないことを意味する。むしろ、目打ち孔の側線セット５０ａ，５０ｂはまっすぐである必要はなく、直線状でなくてもよい（たとえば、カーブさせるまたは曲げる（ｂｅｎｔ））。目打ち孔の第１の側線セット５０ａは中央開放部２０の第１の角５４から第１の本体１６の周縁４０に向かって第１の方向に延び、目打ち孔の第２の側線セット５０ｂは中央開放部２０の第２の角５６から第１の本体１６の周縁４０に向かって第２の方向に延びる。第１および第２の方向を同一直線上にあるようにすることができるが、図示されている実施形態では、第１および第２の方向は同一直線上にはなく、代わりに中央開放部２０の第１の縁４４に対して所定角度で配置されている。目打ち孔５０ａ，５０ｂが所定角度に向けられていることで、出荷の際にパッケージはより堅牢になるという効果があり、また、着脱可能部２２が取り外された後に、長くなった所定角度の上側縁が設けられ、第１の主部２３および第２の主部２５に対してポーチ３０がスライドするのに応じて中央開放部２０内に移動する際にポーチ３０をガイドするようにこの上縁が機能するので、ポーチ３０を閉位置に戻すのが容易になるという効果がある。
【００３５】
いくつかの実施形態では、目打ち孔の第１の側線セット５０ａと目打ち孔の第２の側線セット５０ｂとの一方または両方は直線状でないようにすることができる。特に、いくつかの実施形態では、目打ち孔の第１の側線セット５０ａと目打ち孔の第２の側線セット５０ｂとの一方または両方を図１に図示されているように、方向転換（ｔｕｒｎ）させたり、カーブさせたり、曲げ（ｂｅｎｄ）たりして形成してもよい。図１では、目打ち孔のいくつかは中央開放部２０の第１の縁４４にほぼ平行であり（たとえば、周縁４０に最も近い目打ち孔）、他の目打ち孔は中央開放部２０の第１の縁４４に対して所定角度をなす（たとえば、第１の角５４に最も近い目打ち孔）。他の実施形態では、平行の目打ち孔と所定角度の目打ち孔とを逆にしてもよい。たとえば、他の実施形態では、平行の目打ち孔を第１の角５４の最も近くに配置して、所定角度の目打ち孔を周縁４０の近くに配置してもよい。
【００３６】
第１の角５４と、目打ち孔の第１の側線セット５０ａ中の、第１の角５４に最も近い目打ち孔との間にある第１のパネル１２の穿孔されていない部分である第１のつなぎ部６０ａの分だけ、目打ち孔の第１の側線セット５０ａの最初の目打ち孔は中央部２０の第１の角５４から離れている。同様に、第２の角５６と、目打ち孔の第２の側線セット５０ｂ中の、第２の角５６に最も近い目打ち孔との間にある第１のパネル１２の穿孔されていない部分である第２のつなぎ部６０ｂの分だけ、目打ち孔の第２の側線セット５０ｂの最初の目打ち孔は中央開放部２０の第２の角５６から離れている。いくつかの実施形態では、第１のつなぎ部６０ａは、第１の角５４と、目打ち孔の第１の側線セット５０ａ中の最初の目打ち孔との間のつなぎ長さを持ち、つなぎ長さは０．１５インチ〜０．４インチである。同様に、いくつかの実施形態では、第２のつなぎ部６０ｂは、第２の角５４と、目打ち孔の第２の側線セット５０ｂ中の最初の目打ち孔との間のつなぎ長さを持ち、つなぎ長さは０．１５インチ〜０．４インチである。つなぎ長さがこの範囲にあることで、破れることなく第１および第２の着脱可能部２２，２６を最大約９０度曲げることができる。この特徴により、小売店での搬送中や仕入れ中などの移動中にパッケージが意図せずに開くことが防止される。
【００３７】
第２の複数の目打ち孔５２は第２の本体２１をほぼ完全に横断して延び、第２の複数の目打ち孔５２は、中央開放部２０の第１の縁４４にほぼ平行に向く２セットの側線目打ち孔５２ａ，５２ｃを含む。第２の複数の目打ち孔５２は、中央開放部２０の第１の縁４４に平行であるが、第２の複数の目打ち孔５２中の側線目打ち孔５２ａ，５２ｃからずれている、ずれタブ部５２ｂを画定する目打ち孔のずれセットも含む。いくつかの実施形態では、タブ部５２ｂは２本の側線目打ち孔５２ａ，５２ｃからタブ距離だけずれている。タブ距離は０．２５インチ〜０．７５インチ、たとえば約０．５インチであってもよい。タブ距離が０．２５インチ〜０．７５インチであることで、手をのばすのに十分な余裕が生じて、周縁フランジ３２の露出部分の、タブ部５２ｂが以前にあった箇所を消費者がつかむことができる（たとえば図４を参照）。
【００３８】
第２の本体２１は、タブ部５２ｂからずれている折り目６２も含んでもよく、折り目６２は第２の複数の目打ち孔５２中の側線目打ち孔５２ａ，５２ｃと同一直線上にある。第１および／または第２の本体１６，２１が最大約９０度曲げられる場合に折り目６２によって目打ち孔に対する応力が低減されることで、移動および／または取り扱い中に再閉止可能電池パッケージ１０が意図せず開くことが防止されるという効果がある。
【００３９】
中央開放部２０は、カーブした底部縁６４を含んでもよく、底部縁６４により、特に、ポーチ３０を中央開口に挿入して閉位置を実現する際にポーチ３０が方向付けられてガイドされるように、カーブした底部縁６４にクリアランスが設けられる。したがって、中央開放部２０のカーブした底部縁６４により、ポーチ３０が中央開放部２０内までスライドするとき、ポーチ３０の中央収容部３４の底部縁６６が引っかかって動かなくなることが防止されるという効果がある。いくつかの実施形態では、底部縁６４は、０．１インチ〜０．５インチの深さ、たとえば約０．２５インチの深さを有する円弧状にカーブしている。円弧が０．１インチ〜０．５インチの深さを有することで、包装サイズを低減するように比較的小型のままにしつつ、引っかかって動かなくなることが十分に軽減される。
【００４０】
いくつかの実施形態では、第１の本体１６および第２の本体２１はボール紙から形成してもよく、ポーチ３０は熱成形プラスチックから形成してもよい。たとえば、再閉止可能電池パッケージ１０は、Ｍｅａｄｗｅｓｔｖａｃｏ社によって製造されるＮａｔｒａｌｏｃｋ（登録商標）から形成してもよい。いくつかの実施形態では、第１の本体１６のボール紙は、第１の複数の目打ち孔５０中の目打ち孔の少なくともいくつかにほぼ垂直に向けられる繊維を含み、第２の本体２１のボール紙は、第２の複数の目打ち孔５２中の目打ち孔の少なくともいくつかにほぼ垂直に向けられる繊維を含む。
【００４１】
ポーチ３０の中央収容部３４のサイズおよび形状は、格納して見せる目的で複数の電池６８を収容するように設定してもよい。
【００４２】
以下、図５〜図８に注目して、別の実施形態では、第２の本体２１は、第１の本体１６の中央開口２０に対向して配置される係止溝７０を含んでもよく、ポーチ３０は、周縁フランジ３２の下部に形成される係止タブ７２を含んでもよい。係止タブ７２は係止溝７０内でスライド可能である。係止溝７０により、ポーチを第１の主部２３および第２の主部２５から簡単に分離させることができないように下側ストッパ７４および上側ストッパ７６を含むことによって、第１の本体１６に対するポーチ３０のスライド可能距離が制限されることで、上述の構成要素の一方を置き忘れる可能性が低くなるという効果がある。上側ストッパ７４を係止溝７０内で棚状部として形成してもよい一方で、下側ストッパ７４は係止溝７０内で肩状部として形成してもよい。係止タブ７２は、周縁フランジ３２から離れるように中央収容部３４と同じ方向に外方に突出する。
【００４３】
以下、図９に注目して、再閉止可能電池パッケージ１０の他の実施形態が示されている。  本実施形態では、係止溝およびタブの代替例により、第２の本体２１に対するポーチ３０のスライド移動が制限される。特に、第２の本体２１は、第２の本体２１に切り欠きとして形成されている係止溝７０を含む。係止タブ７２はポーチ３０の周縁フランジ３２上の外向き突起として形成され、すなわち、係止タブ７２は周縁フランジから離れるように突出する。係止タブ７２は、図５〜図８の実施形態と同様に係止溝７０内でスライドする。さらに、図５〜図８の実施形態と同様に、係止溝７０は下側ストッパ７４および上側ストッパ７６を含む。
【００４４】
まとめて、図１〜図９の再閉止可能電池パッケージ１０を開ける方法を以下により詳細に説明する。再閉止可能電池パッケージ１０を用意した後、図１〜図９の実施形態のいずれかに示されているように、まず、消費者は、第１の本体１６の第１の着脱可能部２２と第２の本体２１の第２の着脱可能部２６とを第２の本体２１に向かって後方に、第１の本体１６および第２の本体２１の無為状態の面に対して約１８０度、折り曲げる。必要な場合、第１の着脱可能部２２および第２の着脱可能部２６を数回、前後に折り曲げて第１の複数の目打ち孔５０と第２の複数の目打ち孔５２とを弱らせてもよい。その後、消費者は、第１の本体１６および第２の本体２１に形成されている第１の複数の目打ち孔５０および第２の複数の目打ち孔５２に沿って第１の本体１６および第２の本体２１をそれぞれ裂いてもよい。第１の複数の目打ち孔５０および第２の複数の目打ち孔５２を裂いた後、消費者は第１の本体１６から第１の着脱可能部２２を取り外し、第２の本体２１から第２の着脱可能部２６を取り外して、ポーチ３０の周縁フランジ３２の上部縁を露出させてもよい。その後、消費者はタブ５２ｂを取り外すことによって設けられる窓の近傍で周縁フランジ３２の露出部分をつかみ、ポーチ３０を第１の本体１６および第２の本体２１に対して第１の方向にスライドさせてポーチ３０の中央収容部３４に格納されている製品を露出させてもよい。ポーチ３０を再閉止するために、中央収容部３４が第２の本体２１によって閉じられるまで、消費者はポーチ３０を第１の位置とは反対の第２の方向に単にスライドさせて、ポーチ３０の中央収容部３４に格納されているいずれの製品も意図せずに出入り可能であることがほぼないようにする再閉止可能電池パッケージが実現される。
【００４５】
他のこれとは別の任意選択の実施形態では、第１の着脱可能部２２を省略してもよく、ポーチ上部周縁フランジ３２ａを第２の本体２１に接着してもよいし、別様に付けてもよい。このような実施形態では、上部周縁フランジ３２と第２の本体２１との間の接着剤または接着シールを破壊すると、ポーチ３０は第１の本体１６および第２の本体２１に対してスライドすることができる。
【００４６】
本明細書で開示されている寸法および値は、記載されている数値に厳密に限定されるとは解さない。むしろ、特に明記しない限り、このような各寸法は、記載されている値と、当該値の周囲の機能的に同等な範囲との両方を意味することを意図する。たとえば、「４０ｍｍ」と開示されている寸法は「約４０ｍｍ」を意味することを意図する。
【００４７】
相互参照されている特許もしくは出願または関連する特許もしくは出願を含む、本明細書に引用されているすべての文書は、明示的に除外されているか、その他制限がなされていることがない限り、その全体が参照によって本明細書に援用される。いずれの文書の引用も、当該文書が本明細書で開示もしくは請求されているいずれかの発明に対する先行技術であること、または当該文書が単独でもしくは１つ以上の別の任意の参考文献との任意の組み合わせでいずれかの当該発明を教示、示唆または開示することの自認ではない。さらに、本文書中の用語のいずれかの意味または定義が、参照によって援用されている文書中の同じ用語のいずれかの意味または定義と相反する場合に限って、本文書中の当該用語に割り当てられている意味または定義が適用される。
【００４８】
本発明の特定の実施形態を示して説明してきたが、本発明の精神および範囲から逸脱しない限りにおいて、様々な他の変更および修正を行なうことができることは、当業者には自明である。したがって、本発明の範囲内にあるすべてのこのような変更および修正を添付の請求項においてカバーするものとする。
【図１】
2019521484.tif 000003
【図２】
2019521484.tif 000004
【図３】
2019521484.tif 000005
【図４】
2019521484.tif 000006
【図５】
2019521484.tif 000007
【図６】
2019521484.tif 000008
【図７】
2019521484.tif 000009
【図８】
2019521484.tif 000010
【図９】
2019521484.tif 000011
【国際調査報告】
2019521484.tif 000012
2019521484.tif 000013
2019521484.tif 000014